(57)【要約】【課題】  遊技機の所定箇所から基板ケースを取り外し不能にして不正行為を防止するとともに、ヒンジ機構と脱離防止機構と開封防止機構とを一体構成にして構造の簡略化と低コストを図る。【解決手段】  遊技機１の本体に固定された基台２２と、基板ケース１２に形成又は接合された回動部材２１と、基台２２に形成された孔状又は曲面形状の第一被挿通部２２２ａ、２２３ａ、２２６ａと、回動部材２１に形成された孔状又は曲面形状の第二被挿通部２１３ａ、２１３ｂと、を同軸上に並置した状態で、その軸に沿って挿通されるヒンジピン２４とを備え、回動部材２１は、ヒンジピン２４の挿通方向を軸として回動可能に軸支され、ヒンジピン２４は、基台２２に対し脱抜不能に係止して基板ケース１２の取り外しを不能とする。【選択図】    図９
2013215387.tif 000002
【特許請求の範囲】
【請求項１】
所定の制御基板が収容された基板ケースを遊技機本体に対して取り外し不能に取り付けるためのかしめ構造であって、
前記遊技機本体の所定箇所に固定された基台と、
前記基板ケースに形成又は接合された回動部材と、
前記基台に形成された孔状又は曲面形状の被挿通部と、前記回動部材に形成された孔状又は曲面形状の被挿通部と、を同軸上に並置した状態で、その軸に沿って挿通されるヒンジピンとを備え、
前記回動部材は、前記ヒンジピンの挿通方向を軸として回動可能に軸支され、
前記ヒンジピンは、前記基台に対して脱抜不能に係止する係止部を有し
前記ヒンジピンの前記係止部が前記基台に係止することで、前記遊技機本体の所定箇所からの前記基板ケースの取り外しを不能とし、
前記ヒンジピンの一部が不正行為により切断されると、切断された痕跡が前記不正行為の痕跡として残存する
ことを特徴とするかしめ構造。
【請求項２】
前記基板ケースが、前記制御基板の一方の面側を覆う第一ケースと、前記制御基板の他方の面側を覆う第二ケースとを備え、
前記回動部材が、前記第一ケースに接合された第一回動部材と、前記第二ケースに接合された第二回動部材とを有し、
前記第一回動部材に形成された被挿通部と、前記第二回動部材に形成された被挿通部と、前記基台に形成された被挿通部とを、同軸上に並置された状態で、その軸に沿って前記ヒンジピンが挿通されて、前記第一ケースと前記第二ケースが開封不能に封止される
ことを特徴とする請求項１記載のかしめ構造。
【請求項３】
前記基台が、当該基台の一部を覆うカバー部材を有し、
前記ヒンジピンは、前記カバー部材に形成された孔状又は曲面形状の被挿通部と、前記基台に形成された被挿通部と、前記回動部材に形成された被挿通部が、同軸上に並置された状態で、その軸に沿って挿通される
ことを特徴とする請求項１又は２記載のかしめ構造。
【請求項４】
前記基台は、
前記ヒンジピンの前記係止部が係止する被係止部と、
当該基台に形成された開口であって、前記ヒンジピンの前記係止部が前記被係止部に係止されたか否かを確認可能な窓部を有した
ことを特徴とする請求項１〜３のいずれかに記載のかしめ構造。
【請求項５】
遊技に関する所定の制御を実行する制御基板を備えた遊技機であって、
前記制御基板が収容された基板ケースと、
前記遊技機の本体の所定箇所に対して前記基板ケースを取り外し不能に取り付けるためのかしめ構造とを備え、
前記かしめ構造が、前記請求項１〜４のいずれかに記載のかしめ構造からなる
ことを特徴とする遊技機。
【発明の詳細な説明】
【技術分野】
【０００１】
本発明は、遊技機の基板ケースなどに適用されるかしめ構造と、かしめ構造を備えた遊技機に関し、特に、遊技機の本体に対して基板ケースを回動可能に取り付けるとともに、取り付けられた基板ケースを取り外し不能とし、かつ、不正に基板ケースを交換する等の不正行為が発生した場合にその痕跡を残存可能とするかしめ構造と遊技機に関する。
【背景技術】
【０００２】
一般に、スロットマシンやパチンコ機等の遊技機には、ゲーム性に関与する複数の制御基板が設けられている。
これらの制御基板の中には、遊技機の正面に配設されたＬＥＤ等の発光ランプの点灯制御やスピーカから出力される効果音の出力制御を行って遊技の内容に応じた所定の演出を実現する副制御基板が含まれている。
この副制御基板は、プリント基板上にＣＰＵ，ＲＯＭ，ＲＡＭ等の種々の電子部品が配置されたコンピュータとして構成されている。
このような副制御基板は、遊技の進行を制御する主制御基板に接続されていることから、不正改造の対象となり易く、そのために、当該副制御基板を透明な二つのケースの間に挟んで収容するとともに、このケースが開封不能に封止された状態で、遊技機の本体における例えば前扉の裏面又は筐体内部の側面に取り付けられている。
【０００３】
ところが、そのケースを例えば前扉の裏面にネジ止めして固定してしまうと、前扉の裏面に設けられた機構のうちそのケースで覆い隠された機構（例えば、スロットマシンの前扉の上部に設けられた液晶ディスプレイなどの表示器の裏面の機構など）について点検や修理を行う必要が生じたときには、その固定していたケースを取り外さなければならず、これが面倒な作業となっていた。
そこで、ケースで覆い隠された機構を点検容易とするために、前扉の裏面とケースの右側辺部との接続部分にヒンジ機構を設け、そのケースを前扉の裏面から手前方向に回動可能とした改良技術が提案されている（例えば、特許文献１参照。）。
具体的に、特許文献１においては、遊技機の前扉の裏面におけるベース枠体において上下二箇所に突出部を形成し、これら二つの突出部の上面にそれぞれ凸部を形成し、一方、ケースの右側辺部には、直方体状の突設部を二つ形成し、これら二つの突設部のそれぞれに、当該突設部の下面に開口を有する凹部を形成し、ベース枠体の突出部の凸部に対してケースの突設部の凹部を係合することで、ベース枠体に対してケースを回動可能に取り付ける構造を備えたヒンジ機構が提案されている。
この技術によれば、そのヒンジ機構を中心としてケースを回動させることができるので、前扉の裏面に配設された機構のうちケースで覆い隠されていた機構に対しても容易に点検等を行うことができる。
【先行技術文献】
【特許文献】
【０００４】
【特許文献１】特開２００２−０１８０７８号公報
【発明の概要】
【発明が解決しようとする課題】
【０００５】
しかしながら、上述した特許文献１に記載の技術においては、次のような問題があった。
ベース枠体における一方の突出部の上方には、可撓性を有する板状部が脱離規制手段として突設されており、ケースの突設部の凹部がベース枠体の突出部の凸部から脱離する方向にケースを持ち上げると、このケースの突設部の上面がベース枠体の板状部に当接するためにケースが脱離不能となっている。また、ケースの取り外しが必要となったときには、板状部を水平方向へ湾曲させることで、ケースの突設部の上面がその板状部に当接しなくなり、当該ケースの取り外しが可能となっている。
【０００６】
このように、ケースを取り外す場合には板状部を湾曲させればよいが、不正に副制御基板を交換する行為が行われる際にもその板状部を湾曲させることで容易にケースを取り外せるため、その不正行為をいとも簡単に許してしまう結果となっていた。
また、板状部は、可撓性を有しており、湾曲させた後に手を放すと元の状態に復帰するが、このとき板状部には湾曲する方向に力が加わったことを示す痕跡は残らない。このため、不正に副制御基板が交換された場合において、その後に板状部やヒンジ機構、ケース等を見ただけではその不正行為の発生の事実を見抜くことが難しく、その結果、その不正行為を見逃してしまって遊技ホールの被害が拡大するという事態が起こり得た。
【０００７】
また、このような被害を阻止するために、例えばヒンジ機構とは別に、ケースの不正な取り外しを防止する機構やケースの開封を防止する機構などを新たに設けることが考えられるが、このように新たな機構を増設すると、構造が複雑になるとともに、遊技機内に相応のスペースを確保する必要が生じて遊技機の設計が煩雑となり、しかも、その増設に伴ってコストが高くなるといった問題が新たに生じていた。
【０００８】
本発明は、上記の事情にかんがみなされたものであり、遊技機の前扉又は筐体から基板ケースを取り外し不能にして不正行為を防止するとともに、もし不正行為が発生した場合でもその不正行為を発見可能とし、かつ、ヒンジ機構と脱離防止機構と開封防止機構とをそれぞれ別構成にすることによる構造の複雑化やコスト高を回避可能とするかしめ構造及び遊技機の提供を目的とする。
【課題を解決するための手段】
【０００９】
この目的を達成するため、本発明のかしめ構造は、所定の制御基板が収容された基板ケースを遊技機本体に対して取り外し不能に取り付けるためのかしめ構造であって、遊技機本体の所定箇所に固定された基台と、基板ケースに形成又は接合された回動部材と、基台に形成された孔状又は曲面形状の被挿通部と、回動部材に形成された孔状又は曲面形状の被挿通部と、を同軸上に並置した状態で、その軸に沿って挿通されるヒンジピンとを備え、回動部材は、ヒンジピンの挿通方向を軸として回動可能に軸支され、ヒンジピンは、基台に対して脱抜不能に係止する係止部を有しヒンジピンの係止部が基台に係止することで、遊技機本体の所定箇所からの基板ケースの取り外しを不能とし、ヒンジピンの一部が不正行為により切断されると、切断された痕跡が不正行為の痕跡として残存する構成としてある。
【００１０】
また、本発明の遊技機は、遊技に関する所定の制御を実行する制御基板を備えた遊技機であって、制御基板が収容された基板ケースと、遊技機の本体の所定箇所に対して基板ケースを取り外し不能に取り付けるためのかしめ構造とを備え、かしめ構造が、前述のかしめ構造からなる構成としてある。
【発明の効果】
【００１１】
本発明のかしめ構造及び遊技機によれば、ヒンジピンが基台に対して脱抜不能に係止したかしめ構造となっているので、基板ケースが遊技機本体の所定箇所から取り外し不能となり、これにより、基板ケースを不正に交換する行為を阻止することができる。
また、不正に基板ケースを交換するためにヒンジピンが切断された場合、そのヒンジピンの切断痕がその後も残存するため、その不正行為を確実に発見できる。
さらに、かしめ構造がヒンジ機構と脱離防止機構と開封防止機構とを兼ね備えた多機能構造となっているので、それらの各機構をそれぞれ別個に備えた場合に比べて構造を簡略化でき、少ない部品で構成できるのでコストを低減できる。
【００１２】
しかも、基板ケースがヒンジ機構により回動可能に取り付けられるので、遊技機の前扉の裏面に設けられた機構のうち基板ケースに覆い隠されていた機構を容易に点検又は修理することができる。
また、ヒンジピンが切断されたヒンジ機構を再利用する場合には、そのヒンジピンとカバー部材とを交換すればよく、基台はそのまま継続して使用できるので、経済的である。
【図面の簡単な説明】
【００１３】
【図１】本発明の実施形態に係るスロットマシンの外観を示す正面図である。
【図２】本発明の実施形態に係るスロットマシンの内部構成を示す斜視図である。
【図３】本発明の実施形態に係るスロットマシンの制御系の構成を示すブロック図である。
【図４】スロットマシンにおける前扉の裏面上部を斜め上方向から見た構成を示す斜視図である。
【図５】ヒンジ機構を中心として基板ケースを回動した状態を示す斜視図である。
【図６】回動部材の構成を示す外観斜視図である。
【図７】ヒンジピン及び基台の構成を示す外観斜視図である。
【図８】カバー部材の構成を示す外観斜視図である。
【図９】ヒンジ機構を組み立てる前の各部品と基板ケースの外観構成を示す斜視図である。
【図１０】基台と回動部材とを組み合わせた状態を示す外観斜視図である。
【図１１】基台と回動部材とカバー部材とを組み合わせた状態を示す外観斜視図である。
【図１２】基台と回動部材とカバー部材のそれぞれの貫通孔にヒンジピンを挿通した状態を示す外観斜視図である。
【図１３】図１２に示す基台及びカバー部材を平面方向に切断した断面図である。
【図１４】ヒンジピンの切断部を切断して当該ヒンジピンの上部を脱抜させた状態を示す外観斜視図である。
【図１５】カバー部材の一部を切断して当該カバー部材の上部を脱抜させた状態を示す外観斜視図である。
【図１６】カバー部材の他の一部を切断して当該カバー部材の下部を脱抜させた状態を示す外観斜視図である。
【図１７】基台と回動部材とを分離させた状態を示す外観斜視図である。
【図１８】ヒンジ機構の他の構成を示す斜視図である。
【図１９】図１８に示す基台の断面図であって、（ｉ）はヒンジピンが挿通されていない状態、（ii）はヒンジピンが挿通された状態を示す図である。
【発明を実施するための形態】
【００１４】
以下、本発明に係る遊技機と、かしめ構造の好ましい実施形態について、各図を参照して説明する。
【００１５】
［遊技機］
本発明のかしめ構造が適用可能な遊技機には、スロットマシン、パチンコ機、パロットなど様々な種類があるが、本実施形態では、本発明のかしめ構造をスロットマシンに適用した場合について説明する。
【００１６】
本実施形態のスロットマシン１は、複数のリールを回転させることによって遊技媒体であるメダルを獲得できる回胴式遊技機として構成されており、遊技の内容に応じた演出の制御を行う副制御部１０が、スロットマシン１の本体における例えば前扉１ａの裏面又は筐体１ｂの内部壁面に取り付けられるとともに、その副制御部１０の制御基板１１が収容された基板ケース１２がヒンジ機構２０を介して取り付けられ、このヒンジ機構２０が基板ケース１２を脱抜不能とするかしめ構造を有した構成となっている。
以下、本実施形態に係るスロットマシン１について図１〜図３を参照しながら詳述する。
【００１７】
これらの図に示すように、本実施形態のスロットマシン１は、回動可能に軸支された複数のリール４１ａ，４１ｂ，４１ｃが内蔵され、正面側が開口した筐体１ｂと、筐体１ｂの正面側を開閉可能に覆う前扉１ａとで構成され、内部には、マイクロコンピュータ等で構成された主制御部９、主制御部９からの指令により、スピーカ８ｂ，ＬＥＤ等のランプ類を制御する副制御部１０、及び必要な機械，装置等が収納されている。
【００１８】
前扉１ａは、図２に示すように、スロットマシン１の筐体１ｂにヒンジ等を介して開閉可能に取り付けられる扉体で、この前扉１ａに遊技操作に係る複数の操作手段が設けられて、スロットマシン１の正面部を構成している。
【００１９】
操作手段としては、メダルが投入されるメダル投入口２と、装置内部にクレジットとして貯留されたメダルをゲームに投じるベットボタン２ａと、各リール４１ａ，４１ｂ，４１ｃの回転を始動させるスタートレバー３と、回転している各リール４１ａ，４１ｂ，４１ｃを停止させる３つの停止ボタン５ａ，５ｂ，５ｃなどが設けられている。
さらに、前扉１ａには、各リール４１ａ，４１ｂ，４１ｃに表示された図柄を視認可能とする表示窓６が、各操作手段の上側に設けられている。また、前扉１ａ上部には、所定の動画や静止画を表示して視覚的な演出を行う液晶ディスプレイなどの表示器８ａが設けられ、前扉１ａ下部には、効果音、音声等が出力されるスピーカ８ｂが設けられている。
【００２０】
筐体１ｂの中央には、リール４１ａ，４１ｂ，４１ｃと、各リール４１ａ，４１ｂ，４１ｃを回転させる図示しないモータ及び回転位置を検出するセンサ等を備えるドラムユニット４が設けられる。
また、筐体１ｂの下部には、メダルの貯留・払出しを行うメダル払出装置７が設けられる。メダル払出装置７には、メダルを貯留するホッパー７ａが設けられ、メダル投入口２より投入されたメダルは、メダルセレクタ２ｂにより検出されるとともに、ホッパー７ａに誘導されるようになっている。
【００２１】
主制御部９は、メインＣＰＵ、メインＲＯＭ、メインＲＡＭなどが一体化された制御用チップの搭載された主基板、これを収容する基板ケース等から構成され、上記の各操作手段からの信号やメダルセレクタ２ｂからの信号に基づき、ドラムユニット４、メダル払出装置７などの各装置を制御することで、以下のようなスロットマシン遊技を進行させる。
【００２２】
具体的には、遊技者によりメダル投入口２からメダルが投入されると、メダルがメダルセレクタ２ｂにより検出され、検出信号が主制御部９に入力される。また、ベットボタン２ａが操作された場合は、その操作信号が主制御部９に入力される。主制御部９は、これらの信号の入力の有無からゲーム可能なメダル数を監視するとともに、スタートレバー３の操作を監視する。
ゲーム可能なメダル数となったときに、スタートレバー３が操作されると、主制御部９は、ドラムユニット４を駆動して、各リール４１ａ，４１ｂ，４１ｃを回転させる制御を行う。
【００２３】
さらに、主制御部９は、スタートレバー３が操作されたときに、ボーナス役、小役、再遊技役、ハズレの複数の抽選対象の中から今回ゲームの当選対象を抽選する内部抽選を行い、各停止ボタン５ａ，５ｂ，５ｃが押下操作されたタイミングに基づき、抽選結果に応じた図柄の組合せで停止するよう、回転している各リール４１ａ，４１ｂ，４１ｃの停止制御を行う。
【００２４】
また、主制御部９は、各リール４１ａ，４１ｂ，４１ｃに停止表示される図柄の組合せを判定し、所定の図柄の組合せのときには、メダル払出装置７に対して所定数のメダルを払い出す制御を行い、メダルをメダル払出口７ｂから払い出す。
【００２５】
このような内容でスロットマシン遊技が進行すると、この遊技の内容に応じた所定の演出、例えば大当りに入賞したときに、前扉１ａに配設されたＬＥＤランプ等を点灯させたり、あるいは、スピーカ８ｂから所定の効果音を出力させるなどしてその入賞を祝福するといった演出が副制御部１０による制御により実行される。
副制御部１０は、ＣＰＵ（中央演算処理装置）、ＲＯＭ及びＲＡＭなどの記憶手段、Ｉ／ＯインターフェイスなどのＩＣ部品、抵抗、コンデンサ、トランジスタなどの様々な電子部品などが実装された制御基板１１を備え、この制御基板１１が透明の基板ケース１２に収容された状態で、スロットマシン１の前扉１ａの裏面上部、又は、筐体１ｂの内部壁面に取り付けられている。
【００２６】
ここで、制御基板１１を収容する基板ケース１２は、深さの浅い凹状のケース部材を二枚重ね合わせ、この中空内部にその制御基板１１を収容するようになっている。また、この基板ケース１２は、次に説明するヒンジ機構２０Ａを介して、スロットマシン１の本体における例えば前扉１ａの裏面等に回動可能に取り付けられるとともに、この取り付けられた基板ケース１２がヒンジ機構２０Ａにより取り外し不能となっている。
以下、本実施形態のヒンジ機構２０Ａの構成について、図４〜図１７を参照しつつ説明する。
【００２７】
［ヒンジ機構］
これらの図に示すように、ヒンジ機構２０Ａは、基板ケース１２に接合される回動部材２１と、スロットマシン１の前扉１ａ又は筐体１ｂにおける所定の箇所に固定される基台２２Ａと、基台２２Ａに装着されて当該基台２２Ａの一部を覆うカバー部材２３と、これら回動部材２１と基台２２Ａとカバー部材２３に挿通されて、これら回動部材２１等を分離不能に結合するヒンジピン２４とを備えている。
そして、これら回動部材２１と基台２２Ａとカバー部材２３とヒンジピン２４がそれぞれ特徴的な構造を有することにより、不正行為を防止する等の目的を達成するための主要な四つの機能、すなわち、基板ケース１２をスロットマシン１の前扉１ａ又は筐体１ｂに回動可能に取り付けるヒンジ機能と、基板ケース１２を開封不能に封止する封止機能と、スロットマシン１の前扉１ａ又は筐体１ｂに対して取り付けられた基板ケース１２を取り外し不能とするかしめ機能と、基板ケース１２が不正に交換されたことをヒンジピン２４の切断痕として残存させる痕跡残存機能とを実現可能とする構造となっている。
【００２８】
これら各機能ごとに、ヒンジ機構２０Ａの特徴的な構造の概略を説明すると、まず、ヒンジ機能は、次のような構造を有して実現される。すなわち、ヒンジ機構２０Ａの回動部材２１と基台２２Ａとカバー部材２３のそれぞれに一又は二以上の突設部を形成し、これら突設部のそれぞれに、ヒンジピン２４を挿通可能な大きさの貫通孔を被挿通孔として穿設し、それら回動部材２１と基台２２Ａとカバー部材２３とを組み合わせて、各貫通孔を直線上に並置し、その直線に沿ってヒンジピン２４を挿通し、これにより、回動部材２１の貫通孔がヒンジピン２４の周面を摺動可能に軸支されることで、この回動部材２１が接合された基板ケース１２を基台２２Ａの固定されたスロットマシン１の前扉１ａ等に対して回動可能に取り付けることができる。
【００２９】
次に、封止機能は、ヒンジ機構２０Ａが次のような構造を有して実現される。すなわち、ヒンジ機構２０Ａの回動部材２１を二つの部材で構成し、一方を、制御基板１１の一の面側を覆う第一ケース（下側ケース１２ａ）に接合される第一回動部材２１ａとし、他方を、制御基板１１の他の一の面側を覆う第二ケース（上側ケース１２ｂ）に接合される第二回動部材２１ｂとし、これら第一回動部材２１ａと第二回動部材２１ｂのそれぞれに、一又は二以上の突設部を形成するとともに、これら突設部のそれぞれにヒンジピン２４を挿通可能な大きさの貫通孔を被挿通孔として穿設し、制御基板１１を収容するように下側ケース１２ａと上側ケース１２ｂとを重ね合わせたときに、第一回動部材２１ａと第二回動部材２１ｂとが組み合わされて、各貫通孔が連通し、その連通方向に沿ってヒンジピン２４を挿通することで、このヒンジピン２４が閂（かんぬき）として機能して、第一回動部材２１ａと第二回動部材２１ｂが分離不能となり、第一回動部材２１ａに接合された下側ケース１２ａと第二回動部材２１ｂに接合された上側ケース１２ｂが開封不能に封止された状態となる。
【００３０】
さらに、かしめ機能は、ヒンジピン２４の先端部分に形成されたＶ字状の係止部２４５が基台２２Ａ又はカバー部材２３に係止することで、当該ヒンジピン２４が脱抜不能となる機能であり、これにより、基板ケース１２を取り外し不能にして当該基板ケース１２の不正な交換を阻止するとともに、上述したヒンジ機能や封止機能を奏効可能としている。
そして、痕跡残存機能は、基板ケース１２を取り外そうとして、基台２２Ａ等に挿通された状態のヒンジピン２４に対し、そのヒンジピン２４の所定の箇所を不正に切断されたときに、その切断された箇所が痕跡として残存する機能をいい、その後に遊技ホールの店員が、その切断痕を視認することで、発生した不正行為を発見可能となっている。また、切断された後のヒンジピン２４の下半分は、基台２２Ａ等に脱抜不能に係止した状態で残存するので、その切断痕を確実に残すことができ、その切断痕の有無を確認することで、不正行為を確実に発見できる。
これらヒンジ機能と封止機能とかしめ機能と痕跡残存機能の四つ機能を全て実現可能とするヒンジ機構２０Ａの各部品の構成について、図４〜図８を参照して説明する。
【００３１】
ヒンジ機構２０Ａは、上述したように、回動部材２１と、基台２２Ａと、カバー部材２３と、ヒンジピン２４とを備えて構成されている。
回動部材２１は、基板ケース１２の下側ケース１２ａの一側辺部１３ａに接合される第一回動部材２１ａと、基板ケース１２の上側ケース１２ｂの一側辺部１３ｂに接合される第二回動部材２１ｂとの二つの部材で構成されている。
第一回動部材２１ａは、基板ケース１２の下側ケース１２ａの一側辺部１３ａに接合される板状の第一基部２１１ａと、第一基部２１１ａの前面上部から直交外方へ突設された第一上突設部２１２ａとを有しており、この第一上突設部２１２ａには、上面から下面へ向かって貫通した円形状の第一挿通孔２１３ａが被挿通部として穿設されている。
第二回動部材２１ｂは、基板ケース１２の上側ケース１２ｂの一側辺部１３ｂに接合される板状の第二基部２１１ｂと、第二基部２１１ｂの前面上部から直交外方へ突設された第二上突設部２１２ｂと、第二基部２１１ｂの前面下部から直交外方へ突設された下突設部２１４とを有している。また、第二上突設部２１２ｂには、上面から下面へ向かって貫通した第二挿通孔２１３ｂが被挿通部として穿設されており、下突設部２１４の下面には、下方に向かって凸設された円柱形状又は円筒形状の回動軸部２１５が形成されている。
【００３２】
ここで、第二回動部材２１ｂの第二上突設部２１２ｂは、第二基部２１１ｂの前面をその前方から見たときに、向かって右側が開口した縦方向の断面匚の字状に形成されており、下側ケース１２ａと上側ケース１２ｂが重ね合わされると、第一回動部材２１ａの第一上突設部２１２ａが第二回動部材２１ｂの第二上突設部２１２ｂの断面匚の字状の内部に嵌入され、第一上突設部２１２ａの第一挿通孔２１３ａと第二上突設部２１２ｂの第二挿通孔２１３ｂが上下方向に連通した状態となる。そして、これら連通した円形状の第一挿通孔２１３ａ及び第二挿通孔２１３ｂの中心軸Ｓ１に沿ってヒンジピン２４を挿通すると、ヒンジピン２４が閂として機能して、第一回動部材２１ａと第二回動部材２１ｂが分離不能となり、これらが接合された下側ケース１２ａと上側ケース１２ｂが開封不能に封止される。
【００３３】
基台２２Ａは、スロットマシン１の前扉１ａの裏面又は筐体１ｂの内部壁面に固定される板状（あるいは柱状又は棒状）の基部２２１と、基部２２１の前面２２１ａの上部、中程上部、中程下部、下部からそれぞれ直交外方へ突設された上突設部２２２、中上突設部２２３、中下突設部２２４、下突設部２２５が形成されるとともに、中上突設部２２３と中下突設部２２４との間には、下部に被挿通部としての開口２２６ａを有する逆ハの字状の係止受部２２６が形成されている。
上突設部２２２には、上面から下面へ向かって貫通した矩形状の上ガイド部２２２ａが被挿通部として穿設されている。また、中上突設部２２３には、上面から下面へ向かって貫通した矩形状の中ガイド部２２３ａが被挿通部として穿設されている。さらに、下突設部２２５の上面の中程には、凹状又は孔状に形成された軸受部２２５ａが形成されている。
【００３４】
上突設部２２２の上ガイド部２２２ａと、中上突設部２２３の中ガイド部２２３ａと、係止受部２２６の開口２２６ａと、下突設部２２５の軸受部２２５ａは、直線上に並設されており、第二回動部材２１ｂの下突設部２１４の回動軸部２１５を基台２２Ａの軸受部２２５ａに嵌合させるとともに、第一回動部材２１ａの上突設部２１２ａの第一挿通孔２１３ａと第二回動部材２１ｂの上突設部２１２ｂの第二挿通孔２１３ｂが連通した状態で、それら上突設部２１２ａと上突設部２１２ｂとを、上突設部２２２と中上突設部２２３との間に位置させた後、その連通した第一挿通孔２１３ａと第二挿通孔２１３ｂが上ガイド部２２２ａ等とともに直線上に並置した状態で、上突設部２２２の上ガイド部２２２ａから係止受部２２６の開口２２６ａへ向かってその直線方向である挿通方向Ｓ２にヒンジピン２４を挿通すると、第一回動部材２１ａの第一挿通孔２１３ａと第二回動部材２１ｂの第二挿通孔２１３ｂの内部にヒンジピン２４が位置して、このヒンジピン２４の周面でそれら第一挿通孔２１３ａと第二挿通孔２１３ｂが摺動可能に軸支される。すなわち、第一回動部材２１ａと第二回動部材２１ｂは、ヒンジピン２４の挿通方向Ｓ２を軸として回動可能に軸支される。また、ヒンジピン２４の挿通方向Ｓ２の下方に第二回動部材２１ｂの回動軸部２１５が位置し、この回動軸部２１５が基台２２Ａの軸受部２２５ａの内部で挿通方向Ｓ２を中心として回転可能となっていることから、第一回動部材２１ａ及び第二回動部材２１ｂが基台２２Ａに対して回動可能となる。
【００３５】
また、回動部材２１は、上述したように、ヒンジピン２４に軸支されて回動可能となっているが、その回動する範囲は、スロットマシン１を上方から見たときに、９０°から１００°前後の範囲となっている（図４、図５参照）。すなわち、基板ケース１２の正面又は背面の面方向が、基台２２Ａの固定されているスロットマシン１の前扉１ａの裏面又は筐体１ｂの内側壁面に略平行となる方向を起点とし、前扉１ａの裏面又は筐体１ｂの内側壁面に対して略直交する方向を終点として、これらの間がその回動範囲となっている。このような範囲で回動可能となっている構造上の理由は、前者の方向については、基板ケース１２の背面が前扉１ａの裏面又は筐体１ｂの内側壁面に当接するためであり、後者の方向については、回動部材２１の下突設部２１４の側面が、基台２２Ａの中下突設部２２４と下突設部２２５とを連接する右側壁部２２８に当接して、それ以上の回動が規制されるためである。
【００３６】
なお、基部２２１の背面２２１ｂには、円筒形状のボス部２２７が突設形成されており、基部２２１の前面２２１ａ側からボス部２２７の内部にネジを挿通し、スロットマシン１の前扉１ａ又は筐体１ｂに形成されているネジ穴（図示せず）にそのネジを螺入することで、当該基台２２Ａをそれら前扉１ａ又は筐体１ｂに螺着固定することができる。
また、基部２２１においてボス部２２７が形成されている位置は、基部２２１の前面２２１ａをその前方から見たときに、挿入されたヒンジピン２４の位置に対応している。このため、ヒンジピン２４を脱抜しない限り、ボス部２２７に挿入されたネジにアクセスできないようになっており、これにより、基台２２Ａの取り外しが不能となっている。
【００３７】
カバー部材２３は、基台２２Ａに装着されて基台２２Ａの一部を覆う当該基台２２Ａの構成部品であって、基台２２Ａに装着されたときに当該基台２２Ａの右側面の一部を覆う右側面部２３１と、基台２２Ａの上突設部２２２の下面に沿って配置される板状の上部横板部２３２と、基台２２Ａの上突設部２２２と中上突設部２２３との間に配置される板状の中部横板部２３３と、基台２２Ａの係止受部２２６を覆う、後面に開口を有した中空直方体状の係止部覆部２３４と、基台２２Ａの中下突設部２２４と下突設部２２５との間に配置される板状の下部横板部２３５とを有して形成されている。
【００３８】
上部横板部２３２には、厚さ方向（上面から下面に向かう方向）に貫通した円形状の上部挿通部２３２ａが被挿通部として穿設されている。また、中部横板部２３３には、厚さ方向（上面から下面に向かう方向）に貫通した円形状の中部挿通部２３３ａが被挿通部として穿設されている。さらに、係止部覆部２３４の上面には、背面側の端辺から正面側に向かって切り欠き部２３４ａが形成され、この切り欠き部２３４ａを上面として下方向に凹状の嵌合凹部２３４ｂが形成され、この嵌合凹部２３４ｂの底面に開口２３４ｃが被挿通部として形成されている。
【００３９】
上部横板部２３２の上部挿通部２３２ａと、中部横板部２３３の中部挿通部２３３ａと、係止部覆部２３４の開口２３４ｃは、直線上に並設されており、この直線は、当該カバー部材２３が基台２２Ａに装着されたときに、この基台２２Ａにおける上突設部２２２の上ガイド部２２２ａと中上突設部２２３の中ガイド部２２３ａと係止受部２２６の開口２２６ａと下突設部２２５の軸受部２２５ａが並設された直線である挿通方向Ｓ２と一致する。そして、基台２２Ａの上突設部２２２の上ガイド部２２２ａからヒンジピン２４を挿通すると、上部横板部２３２の上部挿通部２３２ａと中部横板部２３３の中部挿通部２３３ａと係止部覆部２３４の開口２３４ｃのそれぞれの内部にヒンジピン２４が位置して、カバー部材２３が基台２２Ａから脱抜不能となる。
【００４０】
ヒンジピン２４は、ピン材の一例であって、直方体状に形成された頭部２４１と、この頭部２４１の下面から延設された円柱形状の回動軸部２４２と、回動軸部２４２の下面から延設された径の細い切断部２４３と、切断部２４３の下方に形成された直方体状の被ガイド部２４４と、ヒンジピン２４の先端部に形成された係止部２４５とを有して構成されている。
係止部２４５は、被ガイド部２４４の下部から延設された棒状部２４５ａと、この棒状部２４５ａの先端に形成された直方体状の先端部２４５ｄと、先端部２４５ｄから斜め後ろ方向に鋭角に延設された一対の係止片２４５ｂとを有している。
このヒンジピン２４において、頭部２４１と回動軸部２４２と切断部２４３と被ガイド部２４４と係止部２４５は、直線上に並設されており、この直線を中心軸Ｓ３としたときに、円柱形状の回動軸部２４２の中心軸とその中心軸Ｓ３とが一致している。
【００４１】
このような構造を有するヒンジピン２４は、回動部材２１が取り付けられカバー部材２３が装着された基台２２Ａに対して、当該基台２２Ａの上ガイド部２２２ａから挿通される。このとき、ヒンジピン２４は、係止部２４５を挿通方向先端として挿通され、カバー部材２３の凹部底面開口２３４ｃに差し掛かると、この凹部底面開口２３４ｃの縁部からの押圧を受けながら圧入される。ここで、ヒンジピン２４の係止片２４５ｂは、先端部２４５ｄから斜め後ろ方向へ延設された平板バネとして形成されており、また、二つの係止片２３４ｂの端部２３４ｃ同士の間隔が、長方形状の凹部底面開口２３４ｃの長手方向の長さよりも長くなっている。このため、係止部２４５が凹部底面開口２３４ｃに差し掛かると、一対の係止片２４５ｂの外側傾斜面の途中でその凹部底面開口２３４ｃの縁部に当接する。そして、ヒンジピン２４を挿通方向Ｓ２へさらに押し込むと、係止片２４５ｂは、凹部底面開口２３４ｃの周縁から荷重を受けて棒状部２４５ａの方へ撓んで弾性変形する。さらに、係止片２４５ｂの端部２４５ｃが凹部底面開口２３４ｃを通過すると、荷重がなくなり、係止片２４５ｂは、もとの形状に復元する。この復元した係止片２４５ｂの端部２４５ｃは、凹部底面開口２３４ｃの下面側の周縁部２３４ｄに近接又は当接した状態となるので（図１３参照）、この状態でヒンジピン２４を挿通方向とは反対の方向へ引き抜こうとしても、係止片２４５ｂの端部２４５ｃが凹部底面開口２３４ｃの下面の周縁部２３４ｄに当接して脱抜不能となる。
【００４２】
また、係止部２４５の係止片２４５ｂの端部２４５ｃがカバー部材２３の凹部底面開口２３４ｃの下面周縁部２３４ｄに当接又は近接した状態においては、ヒンジピン２４の頭部２４１の下面がカバー部材２３の上部横板部２３２の上面に当接又は近接し、かつ、ヒンジピン２４の被ガイド部２４４の下面がカバー部材２３の嵌合凹部２３４ｂの底部上面に当接又は近接する。これらにより、ヒンジピン２４の挿通方向へのさらなる挿入が規制される。
しかも、カバー部材２３の嵌合凹部２３４ｂの底部がヒンジピン２４の被ガイド部２４４と係止部２４５とで挟まれた状態となるので、ヒンジピン２４は、挿通方向と反対方向のいずれの方向にも脱抜不能となる。
【００４３】
そして、ヒンジピン２４が挿通されることで、回動部材２１と基台２２Ａとカバー部材２３が分離不能となり、かつ、ヒンジピン２４が脱抜不能となっていることで、回動部材２１の回動可能状態が維持され、しかも、基板ケース１２の開封不能状態が固持される。
【００４４】
また、ヒンジピン２４が基台２２Ａ等に挿通された状態においては、カバー部材２３の中部横板部２３３の下面と係止部覆部２３４の上面との間に、当該ヒンジピン２４の切断部２４３が視認可能に露出した状態となる（図１２、図１３参照）。
この状態において、ヒンジピン２４の切断部２４３が不正に切断されると、この切断痕がその後も残存するため、この切断痕の有無を確認することで、不正行為の発生の事実を確実に発見することができる。
また、切断部２４３が切断されたヒンジピン２４の下半分は、係止部２４５がカバー部材２３に係止した脱抜不能な状態となっており、仮にヒンジピン２４の上半分が取り除かれたとしても、下半分は、基台２２Ａに係止したままの状態で存置される。このため、不正行為の発生後も、切断部２４３が切断された痕跡を確実に残すことができ、その不正行為を確実に発見できる。
【００４５】
以上の構成を備えたヒンジ機構２０Ａは、当該ヒンジ機構２０Ａを構成する回動部材２１と基台２２Ａとカバー部材２３とヒンジピン２４が有機的に組み合わされることで、前述した四つの機能を発揮し得るようになっている。
また、それらヒンジ機構２０Ａの各部品が組み合わされることで、基台２２Ａが固定されたスロットマシン１の前扉１ａの裏面又は筐体１ｂの内部壁面に対して、回動部材２１が接合された基板ケース１２が取り付けられる。
次に、それらヒンジ機構２０Ａを構成する各部品を組み合わせることにより、基板ケース１２をスロットマシン１に取り付ける手順について、図９〜図１３を参照して説明する。
【００４６】
前提として、前扉１ａの裏面又は筐体１ｂの内部壁面には、所定の箇所に基台２２Ａが取り付けられて固定されている。
一方、副制御部１０の制御基板１１が収容される基板ケース１２のうち、下側ケース１２ａには第一回動部材２１ａが接合され、上側ケース１２ｂには第二回動部材２１ｂが接合されている。
【００４７】
制御基板１１が下側ケース１２ａと上側ケース１２ｂとの間に挟まれた状態で収容されると、上側ケース１２ｂに接合された第二回動部材２１ｂにおける断面匚の字状の第二上突設部２１２ｂの内部に、下側ケース１２ａに接合された第一回動部材２１ａの第一上突設部２１２ａが嵌入し、第二上突設部２１２ｂの第二挿通孔２１３ｂと第一上突設部２１２ａの第一挿通孔２１３ａが連通した状態となる（図９参照）。
また、これら連通する第一挿通孔２１３ａと第二挿通孔２１３ｂの円形の貫通孔の中心軸Ｓ１の延長線上に、第二回動部材２１ｂの下突設部２１４に形成された円柱形状又は円筒形状の回動軸部２１５の中心軸が位置している。
【００４８】
次いで、第一上突設部２１２ａが第二上突設部２１２ｂに嵌入した第一回動部材２１ａと第二回動部材２１ｂ（以下、併せて回動部材２１という）を基台２２Ａに取り付ける（図１０参照）。このとき、基台２２Ａの中下突設部２２４と下突設部２２５との間に回動部材２１の下突設部２１４を挿入しながら、その下突設部２１４の回動軸部２１５を基台２２Ａの下突設部２２５の軸受部２２５ａに嵌合させるとともに、基台２２Ａの上突設部２２２と中上突設部２２３との間に回動部材２１の第一上突設部２１２ａ及び第二上突設部２１２ｂを配置する。
この状態においては、回動部材２１が、下突設部２１４の回動軸部２１５においてのみ、基台２２Ａに係合しているだけであって、他の箇所では係合していないので、回動部材２１は、基台２２Ａから容易に脱離可能な状態となっている。
【００４９】
続いて、回動部材２１が取り付けられた基台２２Ａにカバー部材２３を装着する（図１１参照）。このとき、カバー部材２３の上部横板部２３２が、基台２２Ａの上突設部２２２の下面と回動部材２１の第一上突設部２１２ａ及び第二上突設部２１２ｂの上面との間に嵌入される。
また、カバー部材２３の中部横板部２３３が、回動部材２１の第一上突設部２１２ａ及び第二上突設部２１２ｂの下面に沿った位置に嵌入される。
さらに、カバー部材２３の下部横板部２３５が、基台２２Ａの中下突設部２２４の下面と回動部材２１の下突設部２１４の上面との間に嵌入される。
そして、基台２２Ａの係止受部２２６（図７参照）の前方及び左右両側を覆う位置にカバー部材２３の係止部覆部２３４が配置される。
【００５０】
ここで、第二回動部材２１ｂの第二上突設部２１２ｂには、上面から下面に向かって貫通した第二挿通孔２１３ｂが穿設されており、かつ、当該第二上突設部２１２ｂは、縦方向断面が匚の字状に形成されている。そして、その匚の字状の上部分と下部分では、第二挿通孔２１３ｂが完全な円形ではなく、当該第二回動部材２１ｂの第二基部２１１ｂの前面をその前方から見たときに、右側半分のみに内側面を有する略半円形状に形成されている。一方、カバー部材２３においては、上部横板部２３２における上挿通孔２３２ａの下面周縁に環状で突状の周設部２３２ｂが形成されており、また、中部横板部２３３における中挿通孔２３３ａの上面周縁に環状で突状の周設部２３３ｂが形成されている。そして、第二回動部材２１ｂの第二上突設部２１２ｂにおける断面匚の字状の上部分のうち第二挿通孔２１３ｂの内側面が形成されていない切り欠き部分に対しては、カバー部材２３の上部横板部２３２の下面に形成された周設部２３２ｂが嵌合し、その匚の字状の下部分のうち第二挿通孔２１３ｂの内側面が形成されていない切り欠き部分に対しては、カバー部材２３の中部横板部２３３の上面に形成された周設部２３３ｂが嵌合する。これにより、回動部材２１の第二上突設部２１２ｂがカバー部材２３の周設部２３２ｂ、２３３ｂにより基台２２Ａの基部２２１へ向かって抑制された状態となり、回動部材２１は、その抑制されている方向とは反対の方向への脱離が不能となる。
【００５１】
また、この状態においては、回動部材２１の第二上突設部２１２ｂにおける第二挿通孔２１３ｂの内側面の上部分に、カバー部材２３の上部横板部２３２における周設部２３２ｂの外周面が接触し、その第二挿通孔２１３ｂの内側面の下部分に、中部横板部２３３における周設部２３３ｂの外周面が接触し、かつ、回動部材２１の第二挿通孔２１３ｂの中心軸Ｓ１と、カバー部材２３の周設部２３２ｂ、２３３ｂの中心軸が同軸となるため、回動部材２１は、第二挿通孔２１３ｂの内側面がカバー部材２３の周設部２３２ｂ、２３３ｂの外周面の周方向に沿って摺動可能に軸支される。
【００５２】
また、カバー部材２３の係止部覆部２３４の上面に形成された切り欠き部２３４ａに、基台２２Ａの中上突設部２２３が嵌合し、カバー部材２３の係止部覆部２３４の嵌合凹部２３４ｂが、基台２２Ａの中上突設部２２３と中下突設部２２４との間に位置する。そして、嵌合凹部２３４ｂの下面の直下に、基台２２Ａの係止受部２２６における逆ハの字状の傾斜部２２６ｂの上端が近接する。
【００５３】
また、カバー部材２３の下部横板部２３５は、前述したように、基台２２Ａの中下突設部２２４の下面と回動部材２１の下突設部２１４の上面との間に嵌入されるが、これにより、回動部材２１が上方（中心軸Ｓ１の上方向）へ移動しようとしても、当該回動部材２１の下突設部２１４の上面が、カバー部材２３の下部横板部２３５の下面に接触して、上方への移動が規制される。これにより、回動部材２１の下突設部２１４の回動軸部２１５が基台２２Ａの下突設部２２５の軸受部２２５ａから脱離不能となることから、基台２２Ａからの回動部材２１の取り外しが不能となる。
さらに、カバー部材２３の上部横板部２３２が、基台２２Ａの上突設部２２２の下面と回動部材２１の第一上突設部２１２ａ及び第二上突設部２１２ｂの上面との間に嵌入されるため、回動部材２１が上方へ移動しようとしても、当該回動部材２１の第一上突設部２１２ａ及び第二上突設部２１２ｂの上面が、カバー部材２３の上部横板部２３２の下面に接触して、上方への移動が規制される。これによっても、回動部材２１の下突設部２１４の回動軸部２１５が基台２２Ａの下突設部２２５の軸受部２２５ａから脱離不能となることから、基台２２Ａからの回動部材２１の取り外しが不能となる。
【００５４】
この状態において、基台２２Ａの上突設部２２２の上ガイド部２２２ａと、カバー部材２３の上部横板部２３２の上挿通孔２３２ａと、回動部材２１の第一上突設部２１２ａの第一挿通孔２１３ａと、回動部材２１の第二上突設部２１２ｂの第二挿通孔２１３ｂと、カバー部材２３の中部横板部２３３の中挿通孔２３３ａと、基台２２Ａの中上突設部２２３の中ガイド部２２３ａと、カバー部材２３の係止部覆部２３４の凹部底面開口２３４ｃと、基台２２Ａの係止受部２２６の開口２２６ａが同軸上に連通した状態となる。
【００５５】
そして、それら連通した基台２２Ａの上ガイド部２２２ａから係止受部２２６の開口２２６ａに向かって、ヒンジピン２４を挿通する（図１２、図１３参照）。このとき、ヒンジピン２４は、係止部２４５を挿通方向の先端として、基台２２Ａの上ガイド部２２２ａから挿通される。
ここで、係止部２４５における一対の係止片２４５ｂのそれぞれの端部２４５ｃ同士の間隔は、基台２２Ａの上ガイド部２２２ａと、カバー部材２３の上挿通孔２３２ａと、回動部材２１の第一挿通孔２１３ａと、回動部材２１の第二挿通孔２１３ｂと、カバー部材２３の中挿通孔２３３ａと、基台２２Ａの中ガイド部２２３ａとの、それぞれの内径（上ガイド部２２２ａと中ガイド部２２３ａにおいては、基台２２Ａの基部２２１の前面２２１ａに平行な横方向の長さ）よりも短くなっているものの、カバー部材２３の係止部覆部２３４における長方形状の凹部底面開口２３４ｃの長手方向の長さよりも長くなっている。このため、係止部２４５は、それら基台２２Ａの上ガイド部２２２ａ等に対しては貫通可能となっているが、カバー部材２３の係止部覆部２３４の凹部底面開口２３４ｃにおいては、一対の係止片２４５ｂの外側傾斜面の途中でその凹部底面開口２３４ｃの縁部に当接し、このヒンジピン２４を挿通方向Ｓ２へさらに押し込むことで、係止部２４５が凹部底面開口２３４ｃの縁部からの押圧を受けながら圧入される。そして、係止片２４５ｂの端部２４５ｃが、凹部底面開口２３４ｃの下面の周縁部２３４ｄに近接又は当接した状態になると、ヒンジピン２４を挿通方向とは反対の方向へ引き抜こうとしても、その係止片２４５ｂの端部２４５ｃが凹部底面開口２３４ｃの下面側周縁部２３４ｄに当接するので、当該ヒンジピン２４が脱抜不能となる。
【００５６】
また、ヒンジピン２４を基台２２Ａ等へ挿通する場合において、係止部２４５の先端部２４５ｄは、当該ヒンジピン２４を挿通するときの周方向（挿通方向を中心としてヒンジピン２４を回転させたときの周方向）の向きを特定する。
すなわち、係止部２４５の先端部２４５ｄは、直方体状に形成されており、このヒンジピン２４の挿通方向（ヒンジピン２４の軸方向）に対して直交する方向のうちの一の方向には長く（この方向の先端部２４５ｄの長さをｘ１とする）、この一の方向に直交する方向には短くなっている（この方向の先端部２４５ｄの長さをｙ１とする）。これに対し、基台２２Ａの係止受部２２６の開口２２６ａは、長方形状に形成されており、この長方形状の長手方向の長さが、先端部２４５ｄのｘ１よりも長くなっており、その長方形状の短手方向の長さが、先端部２４５ｄのｙ１より長いものの、ｘ１よりも短くなっている。このため、ヒンジピン２４の先端部２４５ｄは、開口２２６ａの長手方向と先端部２４５ｄのｘ１方向が一致するときには、その開口２２６ａに挿通可能となっており、これ以外の向きでは、その開口２２６ａに挿通不能となっている。よって、基台２２Ａ等に対するヒンジピン２４の周方向の向きが特定される。
【００５７】
また、ヒンジピン２４を基台２２Ａ等へ挿通する場合において、係止部２４５の被ガイド部２４４は、ヒンジピン２４を挿通するときの周方向の向きを特定する。
すなわち、係止部２４５の被ガイド部２４４は、直方体状に形成されており、このヒンジピン２４の挿通方向（ヒンジピン２４の軸方向）に対して直交する方向のうちの一の方向には長く（この方向の被ガイド部２４４の長さをｘ２とする）、この一の方向に直交する方向には短くなっている（この方向の被ガイド部２４４の長さをｙ２とする）。これに対し、基台２２Ａの中ガイド部２２３ａは、長方形状に形成されており、この長方形状の長手方向の長さが、被ガイド部２４４のｘ２よりも長くなっており、その長方形状の短手方向の長さが、被ガイド部２４４のｙ２より長いものの、ｘ２よりも短くなっている。このため、ヒンジピン２４の被ガイド部２４４は、中ガイド部２２３ａの長手方向と被ガイド部２４４のｘ２方向が一致するときには、その中ガイド部２２３ａに挿通可能となっており、これ以外の向きでは、その中ガイド部２２３ａに挿通不能となっている。よって、基台２２Ａ等に対するヒンジピン２４の周方向の向きが特定される。
【００５８】
ヒンジピン２４が挿通されて係止部２４５の係止片２４５ｂの端部２４５ｃがカバー部材２３の開口下面周縁部２３４ｄに当接又は近接している状態では、ヒンジピン２４の頭部２４１が基台２２Ａの上ガイド部２２２ａに嵌合されるとともに、この頭部２４１の下面がカバー部材２３の上部横板部２３２の上面に接触又は近接した状態となる。
また、ヒンジピン２４の回動軸部２４２は、回動部材２１の第一挿通孔２１３ａ及び第二挿通孔２１３ｂの内側に位置した状態となっており、第一挿通孔２１３ａの内側面がヒンジピン２４の回動軸部２４２の周面に沿って摺動可能に軸支された状態となっている。
【００５９】
さらに、カバー部材２３の係止部覆部２３４の正面には、矩形の開口である窓部２３４ｅが形成されている。
窓部２３４ｅは、矩形の開口の上辺が当該係止部覆部２３４の上面又はその近傍に達し、下辺が嵌合凹部２３４ｂの底部上面に達し、横幅が嵌合凹部２３４ｂの横幅と略同じ長さとなっている。つまり、窓部２３４ｅは、嵌合凹部２３４ｂを係止部覆部２３４の前面側から視認可能に開口された状態となっており、この嵌合凹部２３４ｂにヒンジピン２４の被ガイド部２４４が嵌合されているか否かを確認することで、当該ヒンジピン２４が正規位置まで挿通されたかどうかを目視で確認可能とするための覗き窓となっている。
ここで、基台２２Ａの上ガイド部２２２ａからヒンジピン２４が挿通されると、このヒンジピン２４の係止部２４５がカバー部材２３の凹部底面開口２３４ｃを通過するとともに、被ガイド部２４４が嵌合凹部２３４ｂに嵌合する。また、被ガイド部２４４の下面が嵌合凹部２３４ｂの底部上面に接触した状態では、係止部２４５の係止片２４５ｂの端部２４５ｃが嵌合凹部２３４ｂの開口下面周縁部２３４ｄに係止した状態となっている。そして、その被ガイド部２４４の前面側が窓部２３４ｅから視認可能となっているため、この窓部２３４ｅを通して、被ガイド部２４４の下面が嵌合凹部２３４ｂの底部上面に接触しているかどうかを確認することで、係止部２４５が嵌合凹部２３４ｂの開口下面周縁部２３４ｄに係止しているか否かを確認することができる。
【００６０】
以上のように、回動部材２１と基台２２Ａとカバー部材２３が組み合わされた状態で、ヒンジピン２４が挿通されると、ヒンジピン２４がカバー部材２３に係止して脱抜不能となるので、回動部材２１の接合された基板ケース１２が、基台２２Ａの固定されたスロットマシン１の前扉１ａ又は筐体１ｂから取り外し不能となる。また、回動部材２１がヒンジピン２４の回動軸部２４２の周方向に摺動可能に軸支されているので、回動部材２１は、ヒンジピン２４の挿通方向を軸として回動可能となっている。
なお、スロットマシン１の前扉１ａの裏面又は筐体１ｂの内部壁面に取り付けられた基板ケース１２は、当該基板ケース１２の他側辺部１４に突設されたビス止め部１５の貫通孔に固定ビスが挿入され、前扉１ａ又は筐体１ｂに形成された雌ネジ部（図示せず）にその固定ビスが螺入されることで、これら前扉１ａの裏面又は筐体１ｂの内部壁面に固定される。
【００６１】
ここまで、基板ケース１２をスロットマシン１の前扉１ａ等に取り付けるためにヒンジ機構２０Ａの各部品を組み立てる手順について説明したが、メンテナンス等のためにその基板ケース１２を取り外す必要が生じたときは、次の手順で取り外される。
図１２に示すように、カバー部材２３の中部横板部２３３の下面と係止部覆部２３４の上面との間には、ヒンジピン２４の切断部２４３が視認可能に露出した状態となっている。
この切断部２４３を、ニッパなどの剪断工具等を用いて切断する。これにより、図１４に示すように、この切断された切断部２４３の上部と、これに繋がるヒンジピン２４の回動軸部２４２と頭部２４１が、当該ヒンジピン２４の挿通方向とは反対の方向へ脱抜可能となる。
【００６２】
次に、ヒンジピン２４の頭部２４１等を脱抜した後、カバー部材２３の右側面部２３１のうち、中部横板部２３３と係止部覆部２３４とを連接している部分である切断部２３１ａを切断する。また、カバー部材２３の右側面部２３１以外の部分であって、中部横板部２３３と係止部覆部２３４とを連接している中連接部２３６を切断する。これにより、図１５に示すように、切断された右側面部２３１の上部と、中連接部２３６の上部と、上部横板部２３２と、中部横板部２３３が、基台２２Ａから取り外し可能となる。
【００６３】
続いて、カバー部材２３の上部横板部２３２等を脱抜した後、係止部覆部２３４と下部横板部２３５とを連接している下連接部２３７を切断する。これにより、図１６に示すように、切断された下連接部２３７の下部と下部横板部２３５が、基台２２Ａから取り外し可能となる。
そして、カバー部材２３の下部横板部２３５が脱抜されると、基台２２Ａの上突設部２２２の下面と回動部材２１の第一上突設部２１２ａ及び第二上突設部２１２ｂの上面との間と、基台２２Ａの中下突設部２２４の下面と回動部材２１の下突設部２１４の上面との間が、カバー部材２３の存在しない空隙部分となるので、回動部材２１を上方へ移動させ、当該回動部材２１の回動軸部２１５を基台２２Ａの軸受部２２５ａから脱抜して、回動部材２１とこれに接合された基板ケース１２を基台２２Ａから取り外すことができる（図１７参照）。
【００６４】
以上の内容を実行することにより、基板ケース１２をスロットマシン１の前扉１ａ等から取り外すことができる。
【００６５】
なお、図６〜図１７に示したヒンジ機構２０Ａにおいては、基台２２Ａの本体とカバー部材２３を別体とし、その本体の一部をカバー部材２３で覆う構成としたが、基台２２の構成は、このような構成に限るものではなく、それら本体とカバー部材２３が一体形成された構成とすることができる。
具体的には、図１８、図１９に示すように、基台２２Ｂの構成として、上ガイド部２２２ａが形成された上突設部２２２と、中挿通孔２３３ａが形成された中部横板部２３３と、中ガイド部２２３ａが上面に形成された係止部覆部２３４と、凹状又は孔状の軸受部２２５ａが上面に形成された下突設部２２５とを備え、係止部覆部２３４の上面には嵌合凹部２３４ｂが形成され、係止部覆部２３４の内部には係止受部２２６が形成された構成とすることができる。また、この構成においては、上ガイド部２２２ａと中挿通孔２３３ａと中ガイド部２２３ａと嵌合凹部２３４ｂの凹部底面開口２３４ｃと係止受部２２６の開口２２６ａが直線上に並設されており、その直線に沿ってヒンジピン２４が挿通される。
【００６６】
また、回動部材２１は、図６〜図１７に示した回動部材２１と同様の形状を有しており、この回動部材２１の下突設部２１４を基台２２Ｂの係止部覆部２３４の下面と下突設部２２５の上面との間に挿入するとともに、回動部材２１の回動軸部２１５を基台２２Ｂの軸受部２２５ａに嵌合し、回動部材２１の第一上突設部２１２ａ及び第二上突設部２１２ｂを基台２２Ｂの上突設部２２２の下面と中部横板部２３３の上面との間に挿入することで、回動部材２１を基台２２Ｂに取り付ける。
ここで、第二回動部材２１ｂの第二上突設部２１２ｂには、前述したように、上面から下面に向かって貫通した第二挿通孔２１３ｂが穿設されており、当該第二上突設部２１２ｂは、縦方向断面が匚の字状に形成されている。そして、匚の字状の上部分と下部分では、第二挿通孔２１３ｂが完全な円形ではなく、当該第二回動部材２１ｂの第二基部２１１ｂの正面側から見たときに右側半分のみに内側面を有する略半円形状に形成されている。このため、その匚の字状の上部分のうち第二挿通孔２１３ｂの内側面が形成されていない切り欠き部分に基台２２Ｂの上突設部２２２の周設部２３２ｂを嵌合し、その匚の字状の下部分のうち第二挿通孔２１３ｂの内側面が形成されていない切り欠き部分に基台２２Ｂの上部横板部２３２の周設部２３２ｂを嵌合することで、回動部材２１の第一上突設部２１２ａ及び第二上突設部２１２ｂを基台２２Ｂの上突設部２２２の下面と上部横板部２３２の上面との間に挿入することができる。
【００６７】
そして、回動部材２１が取り付けられた基台２２Ｂに対して上ガイド部２２２ａからヒンジピン２４を挿通することで、その回動部材２１がヒンジピン２４の中心軸Ｓ３を中心として回動可能に軸支される。
また、ヒンジピン２４が基台２２Ｂの内部に形成された凹部底面開口２３４ｃの下面周縁部２３４ｄに係止するため、当該ヒンジピン２４が脱抜不能となり、スロットマシン１の前扉１ａ又は筐体１ｂからの基板ケース１２の取り外しを不能とすることができる。
さらに、不正にヒンジピン２４の切断部２４３が切断されたときには、この切断痕を、不正行為が行われたことを示す痕跡として残すことができ、この切断痕の有無を確認することで不正行為を発見できる。
【００６８】
以上説明したように、本実施形態のかしめ構造及び遊技機によれば、ヒンジピンが基台に対して脱抜不能に係止したかしめ構造となっているので、基板ケースが遊技機の前扉又は筐体から取り外し不能となり、これにより、基板ケースを不正に交換する行為を阻止することができる。
また、不正に基板ケースを交換するためにヒンジピンが切断された場合、そのヒンジピンの切断痕がその後も残存するため、その不正行為を確実に発見できる。
さらに、かしめ構造がヒンジ機構と脱離防止機構と開封防止機構とを兼ね備えた多機能構造となっているので、それらの各機構をそれぞれ別個に備えた場合に比べて構造を簡略化でき、少ない部品で構成できるのでコストを低減できる。
【００６９】
しかも、基板ケースがヒンジ機構により回動可能に取り付けられるので、前扉の裏面に設けられた機構のうち基板ケースに覆い隠されていた機構（例えば、遊技機の正面上部に設けられた液晶ディスプレイからなる表示器の裏側の機構など）を容易に点検又は修理することができる。
また、ヒンジピンが切断されたヒンジ機構を再利用する場合には、そのヒンジピンとカバー部材とを交換すればよく、基台はそのまま継続して使用できるので、経済的である。
【００７０】
以上、本発明のかしめ構造及び遊技機の好ましい実施形態について説明したが、本発明に係るかしめ構造及び遊技機は上述した実施形態にのみ限定されるものではなく、本発明の範囲で種々の変更実施が可能であることは言うまでもない。
例えば、上述した実施形態では、基板ケースに収容される制御基板を副制御基板としたが、副制御基板に限るものではなく、他の制御基板であってもよい。
【００７１】
また、上述した実施形態では、回動部材の第一挿通孔及び第二挿通孔、カバー部材の上挿通孔及び中挿通孔のそれぞれの形状を円形の貫通孔としたが、それら第一挿通孔等は、円形に限るものではなく、例えば、Ｕ字状、Ｃ字状、Ｊ字状などの円弧状の曲面を有した形状であってもよい。
さらに、上述した実施形態では、ヒンジピンの頭部、被ガイド部、先端部の形状を直方体状としたが、この形状に限るものではなく、円柱形状や円筒形状としてもよい。この場合、基台の上ガイド部、中ガイド部、係止受部の開口、カバー部材の凹部底面開口についても、それらヒンジピンの頭部等の形状に合わせて、円形状に形成することが望ましい。
【００７２】
また、上述した実施形態では、ヒンジピンの係止部がカバー部材の嵌合凹部の底部下面に係止することとしたが、係止する箇所は、カバー部材の嵌合凹部の底部下面に限るものではなく、例えば、基台の中上突設部の下面などであってもよい。
さらに、図６等においては、回動部材が基板ケースと別体で図示されているが、回動部材は、基板ケースと別体で形成することに限るものではなく、基板ケースと一体形成することもできる。
また、係止片２４５ｂの数は、二本に限るものではなく、一本あるいは三本以上であってもよい。
【産業上の利用可能性】
【００７３】
本発明は、遊技機に取り付けられる遊技機用基板ケースに広く利用することができる。
【符号の説明】
【００７４】
１  スロットマシン（遊技機）
１ａ  前扉
１ｂ  筐体
１０  副制御部
１１  制御基板
１２  基板ケース
１２ａ  下側ケース（第一ケース）
１２ｂ  上側ケース（第二ケース）
２０（２０Ａ、２０Ｂ）  ヒンジ機構
２１  回動部材
２１ａ  第一回動部材
２１ｂ  第二回動部材
２１３ａ  第一挿通孔
２１３ｂ  第二挿通孔
２２（２２Ａ、２２Ｂ）  基台
２２２ａ  上ガイド部
２２３ａ  中ガイド部
２２６ａ  開口
２３  カバー部材
２３２ａ  上挿通孔
２３３ａ  中挿通孔
２３４ｃ  凹部底面開口
２３４ｅ  窓部
２４  ヒンジピン
２４３  切断部
２４５  係止部
Ｓ１  中心軸
Ｓ２  ヒンジピンの挿通方向
Ｓ３  ヒンジピンの中心軸
【図１】
2013215387.tif 000003
【図２】
2013215387.tif 000004
【図３】
2013215387.tif 000005
【図４】
2013215387.tif 000006
【図５】
2013215387.tif 000007
【図６】
2013215387.tif 000008
【図７】
2013215387.tif 000009
【図８】
2013215387.tif 000010
【図９】
2013215387.tif 000011
【図１０】
2013215387.tif 000012
【図１１】
2013215387.tif 000013
【図１２】
2013215387.tif 000014
【図１３】
2013215387.tif 000015
【図１４】
2013215387.tif 000016
【図１５】
2013215387.tif 000017
【図１６】
2013215387.tif 000018
【図１７】
2013215387.tif 000019
【図１８】
2013215387.tif 000020
【図１９】
2013215387.tif 000021